(57)【要約】【課題】  ベルト式無段変速機に用いられる金属ベルトの内周面に潤滑油を効果的に供給して耐久性を高める。【解決手段】  ベルト式無段変速機の金属ベルト１５の金属エレメント３２が、プーリ１３のＶ面３８に当接するプーリ当接面３９と、プーリ当接面３９の径方向外側に位置して金属リング集合体３１の内周面に当接するサドル面４４とを備えており、金属エレメント３２にはプーリ当接面３８からサドル面３４に潤滑油を導く潤滑油通路４５が形成されるので、プーリ１３のＶ面３８を遠心力で径方向内側から外側に向かって流れる潤滑油を、金属エレメント３２のプーリ当接面３９から潤滑油通路４５に導入して遠心力でサドル面４４に供給することで、金属リング集合体３１を効果的に潤滑して耐久性を高めることができる。【選択図】        図４
2010236664.tif 000002
【特許請求の範囲】
【請求項１】
無端状の金属リング（３３）を複数枚積層した金属リング集合体（３１）に多数の金属エレメント（３２）を支持し、前記金属エレメント（３２）は、プーリ（１３，１４）のＶ面（３８）に当接するプーリ当接面（３９）と、前記プーリ当接面（３９）の径方向外側に位置して前記金属リング集合体（３１）の内周面に当接するサドル面（４４）とを備えるベルト式無段変速機用金属ベルトにおいて、
前記金属エレメント（３２）は、前記プーリ当接面（３９）から前記サドル面（４４）に潤滑油を導く潤滑油通路（４５）を備えることを特徴とするベルト式無段変速機用金属ベルト。
【請求項２】
前記潤滑油通路（４５）は、前記金属エレメント（３２）の前面および後面の少なくとも一方に設けられることを特徴とする、請求項１に記載のベルト式無段変速機用金属ベルト。
【請求項３】
前記プーリ当接面（３９）は溝（３９ａ）を備え、前記金属エレメント（３２）の進行方向に対して前記溝（３９ａ）が成す角度は、前記金属エレメント（３２）の進行方向後方側が径方向外側に傾斜する方向に１５°〜６０°であることを特徴とする、請求項１または請求項２に記載のベルト式無段変速機用金属ベルト。
【発明の詳細な説明】
【技術分野】
【０００１】
本発明は、無端状の金属リングを複数枚積層した金属リング集合体に多数の金属エレメントを支持し、前記金属エレメントは、プーリのＶ面に当接するプーリ当接面と、前記プーリ当接面の径方向外側に位置して前記金属リング集合体の内周面に当接するサドル面とを備えるベルト式無段変速機用金属ベルトに関する。
【背景技術】
【０００２】
ベルト式無段変速機では、金属ベルトの金属リング集合体と金属エレメントとの接触部、具体的には金属リング集合体の内周面と金属エレメントのサドル面との接触部を潤滑する必要があり、そのために、図６に示すように、金属ベルト１５がドライブプーリ１３に噛み込む部分とドリブンプーリ１４に噛み込む部分とを指向してオイルジェット２２から潤滑油を供給している。しかしながら、前記潤滑油は金属ベルトの１５の内周側から供給されるので、金属エレメント３２に阻止されて金属リング集合体の内周面と金属エレメントのサドル面との接触部に届き難く、その接触部に潤滑油を導くための何らかの手段を設けることが望ましい。
【０００３】
そこで、ベルト式無段変速機の一対のプーリ間に巻き掛けられる金属ベルトを、複数の金属リングを積層した金属リング集合体と、その金属リング集合体にサドル面を支持された複数の金属エレメントとで構成し、金属エレメントの表面に径方向内側から外側に形成されてサドル面に連なる溝を介して金属リング集合体の内周面に潤滑油を積極的に供給することで、サドル面に当接する金属リング集合体の耐久性を高めるものが、下記特許文献１により提案されている。
【先行技術文献】
【特許文献】
【０００４】
【特許文献１】実開昭５９−１０３９４４号公報
【発明の概要】
【発明が解決しようとする課題】
【０００５】
ところで、上記特許文献１に記載された金属エレメントは、サドル面に潤滑油を導く溝の径方向内端がプーリのＶ面に当接するプーリ当接面から離れた位置に開口しているため、プーリのＶ面に沿って遠心力で径方向内側から外側に流れる潤滑油を金属エレメントの前記溝に集めることができず、金属リング集合体の内周面に潤滑油を効果的に供給することができないという問題があった。
【０００６】
本発明は前述の事情に鑑みてなされたもので、ベルト式無段変速機に用いられる金属ベルトの内周面に潤滑油を効果的に供給して耐久性を高めることを目的とする。
【課題を解決するための手段】
【０００７】
上記目的を達成するために、請求項１に記載された発明によれば、無端状の金属リングを複数枚積層した金属リング集合体に多数の金属エレメントを支持し、前記金属エレメントは、プーリのＶ面に当接するプーリ当接面と、前記プーリ当接面の径方向外側に位置して前記金属リング集合体の内周面に当接するサドル面とを備えるベルト式無段変速機用金属ベルトにおいて、前記金属エレメントは、前記プーリ当接面から前記サドル面に潤滑油を導く潤滑油通路を備えることを特徴とするベルト式無段変速機用金属ベルトが提案される。
【０００８】
また請求項２に記載された発明によれば、請求項１の構成に加えて、前記潤滑油通路は、前記金属エレメントの前面および後面の少なくとも一方に設けられることを特徴とするベルト式無段変速機用金属ベルトが提案される。
【０００９】
また請求項３に記載された発明によれば、請求項１または請求項２の構成に加えて、前記プーリ当接面は溝を備え、前記金属エレメントの進行方向に対して前記溝が成す角度は、前記金属エレメントの進行方向後方側が径方向外側に傾斜する方向に１５°〜６０°であることを特徴とするベルト式無段変速機用金属ベルトが提案される。
【００１０】
尚、実施の形態のドライブプーリ１３およびドリブンプーリ１４は本発明のプーリに対応する。
【発明の効果】
【００１１】
請求項１の構成によれば、ベルト式無段変速機の金属ベルトの金属エレメントが、プーリのＶ面に当接するプーリ当接面と、プーリ当接面の径方向外側に位置して金属リング集合体の内周面に当接するサドル面とを備えており、金属エレメントにはプーリ当接面からサドル面に潤滑油を導く潤滑油通路が形成されるので、プーリのＶ面を遠心力で径方向内側から外側に向かって流れる潤滑油を、金属エレメントのプーリ当接面から潤滑油通路に導入して遠心力でサドル面に供給することで、金属リング集合体を効果的に潤滑して耐久性を高めることができる。
【００１２】
また請求項２の構成によれば、潤滑油通路を金属エレメントの前面および後面の少なくとも一方に設けたので、潤滑油通路を金属エレメントの内部に穿設する場合に比べて加工が容易になるだけでなく、隣接する金属エレメント間の隙間に供給された潤滑油を潤滑油通路に効果的に集めてサドル面に供給することができる。
【００１３】
また請求項３の構成によれば、金属ベルトがプーリに巻き付いた部分で、金属エレメントに付着した潤滑油には径方向内側から外側に向かう遠心力と、金属エレメントの進行方前方側から後方側に向かう空気力とが作用し、それらの合力の方向は金属エレメントの進行方向後方側が径方向外側に向かうため、つまりプーリ当接面の溝の傾斜方向に沿うため、前記合力により溝の内部に保持された潤滑油をスムーズに排出することで、プーリ当接面およびＶ面の接触面に過剰な潤滑油が保持されないようにして摩擦係数を高め、プーリに対する金属ベルトのスリップを防止することができる。しかも溝から排出された潤滑油を潤滑油通路に集めてサドル面の供給することができるので、金属リング集合体の耐久性を更に高めることができる。
【図面の簡単な説明】
【００１４】
【図１】ベルト式無段変速機の概略構造を示す図。
【図２】金属ベルトの部分斜視図。
【図３】図２の３方向矢視図。
【図４】プーリに巻き付いた金属ベルトの後面図。
【図５】プーリ当接面の溝の角度と摩擦係数との関係を示すグラフ。
【図６】オイルジェットによる金属ベルトの潤滑を示す図。
【発明を実施するための形態】
【００１５】
以下、図１〜図６に基づいて本発明の実施の形態を説明する。
【００１６】
図１は自動車に搭載されたベルト式無段変速機Ｔの概略構造を示すもので、ベルト式無段変速機Ｔはエンジンに接続されたドライブシャフト１１と、駆動輪に接続されたドリブンシャフト１２とを備えており、ドライブシャフト１１に設けたドライブプーリ１３とドリブンシャフトに設けたドリブンプーリ１４とに無端状の金属ベルト１５が巻き掛けられる。ドライブプーリ１３は、ドライブシャフト１１に固着された固定側プーリ半体１６と、この固定側プーリ半体１６に対して接離可能な可動側プーリ半体１７とを備えており、可動側プーリ半体１７は油室１８に作用する油圧で固定側プーリ半体１６に向けて付勢される。
【００１７】
ドリブンプーリ１４は、ドリブンシャフト１２に固着された固定側プーリ半体１９と、この固定側プーリ半体１９に対して接離可能な可動側プーリ半体２０とを備えており、可動側プーリ半体１８は油室２１に作用する油圧で固定側プーリ半体１９に向けて付勢される。金属ベルト１５は、左右の一対の金属リング集合体３１，３１に多数の金属エレメント３２…を支持したもので、それぞれの金属リング集合体３１は、複数枚の金属リング３３を積層して構成される（図３参照）。
【００１８】
以下、図２〜図４に基づいて、金属エレメント３２の構造を詳述する。
【００１９】
尚、本実施の形態で用いる金属エレメント３２の前後方向、左右方向、径方向の定義は図２に示されている。径方向はその金属エレメント３２が当接するプーリの径方向として定義されるもので、プーリのシャフトに近い側が径方向内側であり、プーリのシャフトに遠い側が径方向外側である。また左右方向は金属エレメント３２が当接するプーリのシャフトに沿う方向として定義され、前後方向は金属エレメント３２の車両の前進走行時における進行方向に沿う方向として定義される。
【００２０】
金属ベルト１５は左右一対の金属リング集合体３１，３１に多数の金属エレメント３２…を支持したもので、各々の金属リング集合体３１は複数枚の金属リング３３…を積層して構成される。金属板材から打ち抜いて成形した金属エレメント３２は、エレメント本体３４と、金属リング集合体３１，３１が係合する左右一対のリングスリット３５，３５間に位置するネック部３６と、ネック部３６を介して前記エレメント本体３４の径方向外側に接続される概略三角形のイヤー部３７とを備える。エレメント本体３４の左右方向両端部には、ドライブプーリ１３およびドリブンプーリ１４のＶ面３８…（図４参照）に当接可能な一対のプーリ当接面３９，３９が形成される。また金属エレメント３２の進行方向前側および後側には相互に当接する主面４０がそれぞれ形成され、また進行方向前側の主面４０の下部には左右方向に延びるロッキングエッジ４１を介して傾斜面４２が形成される。更に、前後に隣接する金属エレメント３２，３２の挙動を制限すべく、イヤー部３７の前後面に相互に嵌合可能な凸部４３ｆおよび凹部４３ｒが形成される。そして左右のリングスリット３５，３５の下縁に、金属リング集合体３１，３１の内周面を支持するサドル面４４，４４が形成される。
【００２１】
各金属エレメント３２のエレメント本体３４の後面に、プーリ当接面３９，３９からサドル面４４，４４へと延びる一対の溝状の潤滑油通路４５，４５が凹設される。潤滑油通路４５，４５がプーリ当接面３９，３９に開口する入口端に対して、潤滑油通路４５，４５がサドル面４４，４４に開口する出口端は径方向外側に位置している。
【００２２】
図２および図３に明瞭に示されるように、金属エレメント３２の各プーリ当接面３９には、複数の直線状の溝３９ａ…が相互に平行に凹設される。各溝３９ａの方向は、車両の前進走行時における金属エレメント３２の進行方向を基準として、その後方側が径方向外側に向かって角度θで傾斜しており、前記角度θは１５°〜６０°に設定される。
【００２３】
しかして、図６に示すように、金属ベルト１５がドライブプーリ１３に噛み込む部分とドリブンプーリ１４に噛み込む部分とを指向してオイルジェット２２から供給された潤滑油がプーリ１３，１４のＶ面３８，３８に付着すると、そのオイルは遠心力でＶ面３８，３８に沿って径方向内側から外側に流れ、Ｖ面３８，３８に当接する各金属エレメント３２のプーリ当接面３９，３９に開口する潤滑油通路４５，４５に捕捉される。潤滑油通路４５，４５に捕捉された潤滑油は遠心力で径方向内側から外側に流れて金属エレメント３２のサドル面４４，４４に達し、そこに当接する金属リング集合体３１の内周面を潤滑および冷却することで、金属リング集合体３１の耐久性を高めることができる。
【００２４】
勿論、隣接する金属エレメント３２，３２間の隙間に浸入して前後の主面４０，４０に付着した潤滑油も遠心力で径方向内側から外側に流れるため、その流れの過程で潤滑油通路４５，４５に捕捉されて金属リング集合体３１の潤滑に利用される。
【００２５】
このように、プーリ１３，１４のＶ面３８，３８に付着して遠心力で径方向内側から外側に流れる潤滑油を、金属エレメント３２の潤滑油通路４５，４５で積極的に捕捉して金属リング集合体３１の内周面に供給するので、充分な量の潤滑油を供給して金属リング集合体３１の耐久性を効果的に高めることができる。
【００２６】
ところで、各金属エレメント３２のプーリ当接面３９，３９と、ドライブプーリ１３あるいはドリブンプーリ１４のＶ面３８，３８との接触面の摩擦係数が小さいと、プーリ１３，１４に対して金属ベルト１５がスリップして駆動力の伝達効率が低下するため、前記接触面の摩擦係数を大きくする必要がある。
【００２７】
オイルジェット２２から供給された潤滑油が各金属エレメント３２のプーリ当接面３９，３９と、ドライブプーリ１３あるいはドリブンプーリ１４のＶ面３８，３８との接触面に過剰に保持されると摩擦係数が低下するため、前記接触面から潤滑油をスムーズに排出することが必要になる。本実施の形態では、プーリ当接面３９，３９の溝３９ａ…の方向を、金属エレメント３２の進行方向後方側が径方向外側に向かうように角度θ＝１５°〜６０°で傾斜させたことにより、プーリ当接面３９，３９の溝３９ａ…からの潤滑油の排出を促進することができる。
【００２８】
その効果が得られる理由を説明すると、金属ベルト１５がプーリ１３，１４に巻き付いた部分では各金属エレメント３２は円運動するため、金属エレメント３２に付着した潤滑油には径方向内側から外側に向かう遠心力が作用する。また金属ベルト１５の回転に伴って、各金属エレメント３２に付着した潤滑油には風圧により金属エレメント３２の進行方前方側から後方側に向かう空気力が作用する。
【００２９】
従って、それらの遠心力および空気力の合力の方向は、金属エレメント３２の進行方向後方側が径方向外側に向かうようになり、換言すると、プーリ当接面３９，３９の溝３９ａ…の傾斜方向に沿うようになり、前記遠心力および空気力の合力により溝３９ａ…の内部に保持された潤滑油をスムーズに排出することで、プーリ当接面３９，３９およびＶ面３８，３８との接触面に過剰な潤滑油が保持されないようにして摩擦係数を高めることができる。
【００３０】
仮に、金属エレメント３２のプーリ当接面３９，３９の溝３９ａ…の傾斜方向が、金属エレメント３２の進行方向と平行、あるいは金属エレメント３２の進行方向前方側が径方向外側に向かって傾斜している場合には、前記遠心力および空気力の合力の方向が溝３９ａ…の方向と不一致になり、溝３９ａ…の内部に保持された潤滑油をスムーズに排出できないために摩擦係数が減少してしまうことになる。
【００３１】
【表１】
2010236664.tif 000003
【００３２】
表１および図５のグラフは、プーリ当接面３９，３９およびＶ面３８，３８間の摩擦係数が、溝３９ａ…の角度θによりどのように変化するかを示すものであり、角度θ＝０（溝３９ａ…が金属エレメント３２の進行方向と平行）の場合の摩擦係数を基準とし、そこからの増加率を％で表示している。その試験方法は、プーリの周側＝０．１ｍ／ｓｅｃ、潤滑油供給量＝５ｍｌ／ｍｉｎ、潤滑油温度＝８０°Ｃの条件で、プーリおよび金属エレメント間の垂直抗力（金属エレメント１個当り）を１０ｋｇ〜８０ｋｇの範囲で種々に変化させながら、プーリおよび金属エレメント間の摩擦力を測定し、その摩擦力を前記垂直抗力で除算することで摩擦係数を算出するものである。表および図に示された摩擦係数は、溝３９ａ…の一つの角度θに対して垂直抗力を種々に異ならせて得られた摩擦係数の平均値である。
【００３３】
表および図から明らかなように、溝３９ａ…の角度θ＝１５°〜６０°の領域で摩擦係数が増加していることが分かる。
【００３４】
このようにしてプーリ当接面３９，３９およびＶ面３８，３８間の摩擦係数が増加すると、ドライブプーリ１３の固定側プーリ半体１６に対して可動側プーリ半体１７を押し付ける油圧や、ドリブンプーリ１４の固定側プーリ半体１９に対して可動側プーリ半体２０を押し付ける油圧を小さくして金属ベルト１５のスリップを防止することができるので、油圧を発生する油圧ポンプの小型化や駆動力の低減を可能にしながら、ベルト式無段変速機Ｔの駆動力伝達効率を高めることができる。
【００３５】
また潤滑油通路４５，４５は金属エレメント３２の後面に形成されているため、プーリ当接面３９，３９の溝３９ａ…に沿って斜め後方に流れる潤滑油も潤滑油通路４５，４５により捕捉されて金属リング集合体３１の潤滑に利用される。
【００３６】
以上、本発明の実施の形態を説明したが、本発明はその要旨を逸脱しない範囲で種々の設計変更を行うことが可能である。
【００３７】
例えば、実施の形態では潤滑油通路４５，４５を金属エレメント３２の後面に設けているが、それを前面に設けても、前面および後面の両方に設けても良く、また金属エレメント３２の内部を貫通するように設けても良い。但し、潤滑油通路４５，４５を金属エレメント３２の前面あるいは後面に設ければ、金属エレメント３２をプレス加工する際に潤滑油通路４５，４５を同時に加工することができので、製造コストの削減に寄与することができる。
【００３８】
また金属エレメント３２のプーリ当接面３９，３９の溝３９ａ…の形状は必ずしも幾何学的な意味での直線である必要はなく、多少の曲がりを有していても概ね直線状であれば良い。
【００３９】
また金属エレメント３２のプーリ当接面３９，３９の複数の溝３９ａ…は必ずしも相互に平行である必要はなく、各々が１５°〜６０°の範囲内の角度θで傾斜していれば良い。
【符号の説明】
【００４０】
１３      ドライブプーリ（プーリ）
１４      ドリブンプーリ（プーリ）
３１      金属リング集合体
３２      金属エレメント
３３      金属リング
３８      Ｖ面
３９      プーリ当接面
３９ａ    溝
４４      サドル面
４５      潤滑油通路
θ        角度
【図１】
2010236664.tif 000004
【図２】
2010236664.tif 000005
【図３】
2010236664.tif 000006
【図４】
2010236664.tif 000007
【図５】
2010236664.tif 000008
【図６】
2010236664.tif 000009